(57)【要約】  本願の実施例はデータ伝送方法及び端末装置を開示し、該方法は、端末装置は少なくとも１つのネットワーク装置における各々のネットワーク装置の伝送制御情報を取得し、該各々のネットワーク装置の伝送制御情報は対応するネットワーク装置によって第１のデータ無線ベアラ（ＤＲＢ）に対して設定されるデータ複製伝送機能の状態を指示することに用いられ、該状態はアクティブ状態又は非アクティブ状態であることと、該端末装置は該各々のネットワーク装置の伝送制御情報に基づいて制御変数を更新し、該制御変数は該少なくとも１つのネットワーク装置を含む複数のネットワーク装置によって該第１のＤＲＢに対して設定されるデータ複製伝送機能の状態を保守することに用いられることと、該端末装置は更新後の該制御変数に基づいて、該第１のＤＲＢのデータ複製伝送機能を制御することと、を含む。本願の実施例における方法及び端末装置は、データ伝送性能の向上に有利である。
2020536405.tif 000002
【特許請求の範囲】
【請求項１】
端末装置は、少なくとも１つのネットワーク装置における各々のネットワーク装置の伝送制御情報を取得し、前記各々のネットワーク装置の伝送制御情報は、対応するネットワーク装置によって第１のデータ無線ベアラ（ＤＲＢ）に対して設定されるデータ複製伝送機能の状態を指示することに用いられ、前記状態はアクティブ状態又は非アクティブ状態であることと、
前記端末装置は前記各々のネットワーク装置の伝送制御情報に基づいて制御変数を更新し、前記制御変数は、前記少なくとも１つのネットワーク装置を含む複数のネットワーク装置によって前記第１のＤＲＢに対して設定されるデータ複製伝送機能の状態を保守することに用いられることと、
前記端末装置は更新後の前記制御変数に基づいて、前記第１のＤＲＢのデータ複製伝送機能を制御することと、を含むことを特徴とするデータ伝送方法。
【請求項２】
前記端末装置が更新後の前記制御変数に基づいて、前記第１のＤＲＢのデータ複製伝送機能を制御することは、
前記端末装置は更新後の前記制御変数及び第１のマッピング関係表に基づいて、前記第１のＤＲＢのデータ複製伝送機能の目標状態を確定し、前記第１のマッピング関係表は複数の状態組合せと複数の目標状態とのマッピング関係を含み、前記状態組合せにおける各状態は前記複数のネットワーク装置に一対一対応することと、
前記端末装置は前記目標状態に基づいて、前記第１のＤＲＢのデータ複製伝送機能を制御することと、を含むことを特徴とする請求項１に記載の方法。
【請求項３】
前記端末装置は前記複数のネットワーク装置のうちの第１のネットワーク装置から送信された前記第１のマッピング関係表を受信することを更に含むことを特徴とする請求項２に記載の方法。
【請求項４】
前記第１のマッピング関係表は無線リソース制御（ＲＲＣ）シグナリングにベアリングされることを特徴とする請求項３に記載の方法。
【請求項５】
前記少なくとも１つのネットワーク装置のうちの第１のネットワーク装置の伝送制御情報は、前記第１のネットワーク装置によって前記第１のＤＲＢに対して設定されるデータ複製伝送機能の状態をビットマップにおける第１のビットで指示し、
前記端末装置が少なくとも１つのネットワーク装置における各々のネットワーク装置の伝送制御情報を取得することは、
前記端末装置は前記第１のネットワーク装置から送信された前記ビットマップを受信することと、
前記端末装置は前記ビットマップにおける前記第１のＤＲＢに対応する前記第１のビットの値を前記第１のネットワーク装置の伝送制御情報として確定することと、を含むことを特徴とする請求項１〜４のいずれか一項に記載の方法。
【請求項６】
前記端末装置が前記目標状態に基づいて、前記第１のＤＲＢのデータ複製伝送機能を制御することは、
前記目標状態がアクティブ状態である場合、前記端末装置は前記第１のＤＲＢで複製データを伝送するように制御することと、
前記目標状態が非アクティブ状態である場合、前記端末装置は前記第１のＤＲＢで非複製データを伝送するように制御することと、を含むことを特徴とする請求項２〜４のいずれか一項に記載の方法。
【請求項７】
前記伝送制御情報はメディアアクセス制御（ＭＡＣ）シグナリングにベアリングされることを特徴とする請求項１〜６のいずれか一項に記載の方法。
【請求項８】
前記複数のネットワーク装置は、プライマリセルグループ内のネットワーク装置及びセカンダリセルグループ内のネットワーク装置を含むことを特徴とする請求項１〜７のいずれか一項に記載の方法。
【請求項９】
端末装置であって、
少なくとも１つのネットワーク装置における各々のネットワーク装置の伝送制御情報を取得することに用いられ、前記各々のネットワーク装置の伝送制御情報は対応するネットワーク装置によって第１のデータ無線ベアラ（ＤＲＢ）に対して設定されるデータ複製伝送機能の状態を指示することに用いられ、前記状態はアクティブ状態又は非アクティブ状態である取得ユニットと、
前記各々のネットワーク装置の伝送制御情報に基づいて制御変数を更新することに用いられ、前記制御変数は前記少なくとも１つのネットワーク装置を含む複数のネットワーク装置によって前記第１のＤＲＢに対して設定されるデータ複製伝送機能の状態を保守することに用いられる更新ユニットと、
更新後の前記制御変数に基づいて、前記第１のＤＲＢのデータ複製伝送機能を制御することに用いられる制御ユニットと、を備えることを特徴とする端末装置。
【請求項１０】
前記制御ユニットは具体的に、
更新後の前記制御変数及び第１のマッピング関係表に基づいて、前記第１のＤＲＢのデータ複製伝送機能の目標状態を確定し、前記第１のマッピング関係表は複数の状態組合せと複数の目標状態とのマッピング関係を含み、前記状態組合せにおける各状態は前記複数のネットワーク装置に一対一対応することと、
前記目標状態に基づいて、前記第１のＤＲＢのデータ複製伝送機能を制御することと、に用いられるを特徴とする請求項９に記載の端末装置。
【請求項１１】
前記複数のネットワーク装置のうちの第１のネットワーク装置から送信された前記第１のマッピング関係表を受信することに用いられる受信ユニットを更に備えることを特徴とする請求項１０に記載の端末装置。
【請求項１２】
前記第１のマッピング関係表は無線リソース制御（ＲＲＣ）シグナリングにベアリングされることを特徴とする請求項１１に記載の端末装置。
【請求項１３】
前記少なくとも１つのネットワーク装置のうちの第１のネットワーク装置の伝送制御情報は前記第１のネットワーク装置によって前記第１のＤＲＢに対して設定されるデータ複製伝送機能の状態をビットマップにおける第１のビットで指示し、前記取得ユニットは具体的に、
前記第１のネットワーク装置から送信された前記ビットマップを受信することと、
前記ビットマップにおける前記第１のＤＲＢに対応する前記第１のビットの値を前記第１のネットワーク装置の伝送制御情報として確定することと、に用いられることを特徴とする請求項９〜１２のいずれか一項に記載の端末装置。
【請求項１４】
前記制御ユニットは具体的に、
前記目標状態がアクティブ状態である場合、前記第１のＤＲＢで複製データを伝送するように制御することと、
前記目標状態が非アクティブ状態である場合、前記第１のＤＲＢで非複製データを伝送するように制御することと、に用いられることを特徴とする請求項１０〜１２のいずれか一項に記載の端末装置。
【請求項１５】
前記伝送制御情報はメディアアクセス制御（ＭＡＣ）シグナリングにベアリングされることを特徴とする請求項９〜１４のいずれか一項に記載の端末装置。
【発明の詳細な説明】
【技術分野】
【０００１】
本願の実施例は通信分野に関し、より具体的に、データ伝送方法及び端末装置に関する。
【背景技術】
【０００２】
新無線（Ｎｅｗ  Ｒａｄｉｏ、ＮＲ）について、現在の検討では、データ複製伝送機能が設定された無線ベアラに対して、あるベアラのデータ複製伝送機能を動的にアクティベーション（ａｃｔｉｖａｔｅ）又はディアクティベーション（ｄｅ−ａｃｔｉｖａｔｅ）することができる。多接続の場合、複数のネットワーク装置はそれぞれ、端末のあるベアラのデータ複製機能をアクティベーション又はディアクティベーションすることを端末装置に指示することができる。その結果、異なるネットワーク装置によって同一のベアラに対して指示されるデータ複製機能の状態が異なる可能性があり、従って、上記シーンであるベアラのデータ複製伝送機能を制御する方法が望まれている。
【発明の概要】
【発明が解決しようとする課題】
【０００３】
上記事情に鑑みて、本願の実施例はデータ伝送方法及び端末装置を提供し、データ伝送性能の向上に有利である。
【課題を解決するための手段】
【０００４】
第１態様によれば、データ伝送方法を提供し、該方法は、
端末装置は少なくとも１つのネットワーク装置における各々のネットワーク装置の伝送制御情報を取得し、該各々のネットワーク装置の伝送制御情報は対応するネットワーク装置によって第１のデータ無線ベアラ（ＤＲＢ）に対して設定されるデータ複製伝送機能の状態を指示することに用いられ、該状態はアクティブ状態又は非アクティブ状態であることと、
該端末装置は該各々のネットワーク装置の伝送制御情報に基づいて制御変数を更新し、該制御変数は該少なくとも１つのネットワーク装置を含む複数のネットワーク装置によって該第１のＤＲＢに対して設定されるデータ複製伝送機能の状態を保守することに用いられることと、
該端末装置は更新後の該制御変数に基づいて、該第１のＤＲＢのデータ複製伝送機能を制御することと、を含む。
【０００５】
端末装置のデータ複製伝送機能を設定したあるベアラに対して１つの制御変数を保守することによって該ベアラのデータ複製伝送機能を制御し、これによりデータ伝送性能の向上に有利である。
【０００６】
データ複製伝送機能のアクティブ状態とは、あるＤＲＢに対応するＰＤＣＰエンティティが１つのＰＤＣＰ  ＰＤＵを２つに複製し、それぞれ２つのＲＬＣエンティティで伝送することである。データ複製伝送機能の非アクティブ状態とは、データ複製伝送機能を使用しないことであり、即ち、あるＤＲＢに対応するＰＤＣＰエンティティによって伝送されるＰＤＣＰ  ＰＤＵが複製データではなく、１つのＲＬＣエンティティで１回伝送できる。
【０００７】
可能な実施形態では、該端末装置が更新後の該制御変数に基づいて、該第１のＤＲＢのデータ複製伝送機能を制御することは、
該端末装置は更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置に一対一対応することと、
該端末装置は該目標状態に基づいて、該第１のＤＲＢのデータ複製伝送機能を制御することと、を含む。
【０００８】
可能な実施形態では、該方法は、該端末装置は該複数のネットワーク装置のうちの第１のネットワーク装置から送信された該第１のマッピング関係表を受信することを更に含む。
【０００９】
可能な実施形態では、該第１のマッピング関係表は無線リソース制御（ＲＲＣ）シグナリングにベアリングされる。
【００１０】
可能な実施形態では、該少なくとも１つのネットワーク装置のうちの第１のネットワーク装置の伝送制御情報は、該第１のネットワーク装置によって該第１のＤＲＢに対して設定されるデータ複製伝送機能の状態をビットマップにおける第１のビットで指示し、該端末装置が少なくとも１つのネットワーク装置における各々のネットワーク装置の伝送制御情報を取得することは、
該端末装置は該第１のネットワーク装置から送信された該ビットマップを受信することと、
該端末装置は該ビットマップにおける該第１のＤＲＢに対応する該第１のビットの値を該第１のネットワーク装置の伝送制御情報として確定することと、を含む。
【００１１】
すなわち、ビットマップにおける１つのビットで１つのベアラのデータ複製伝送機能の状態を示してもよく、ビットマップにおける２つのビットで１つのベアラのデータ複製伝送機能の状態を示してもよい。
【００１２】
可能な実施形態では、該端末装置が該目標状態に基づいて、該第１のＤＲＢのデータ複製伝送機能を制御することは、
該目標状態がアクティブ状態である場合、該端末装置は該第１のＤＲＢで複製データを伝送するように制御することと、
該目標状態が非アクティブ状態である場合、該端末装置は該第１のＤＲＢで非複製データを伝送するように制御することと、を含む。
【００１３】
可能な実施形態では、該伝送制御情報はメディアアクセス制御（ＭＡＣ）シグナリングにベアリングされる。
【００１４】
可能な実施形態では、該複数のネットワーク装置はプライマリセルグループ内のネットワーク装置及びセカンダリセルグループ内のネットワーク装置を含む。
【００１５】
第２態様によれば、端末装置を提供し、上記第１態様又は第１態様のいずれかの可能な実施形態に記載の方法を実行することに用いられる。具体的に、該端末装置は上記第１態様又は第１態様のいずれかの可能な実施形態に記載の方法を実行することに用いられるユニットを備える。
【００１６】
第３態様によれば、端末装置を提供し、該端末装置はメモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第１態様又は第１態様のいずれかの可能な実施形態に記載の方法を実行することに用いられる。
【００１７】
第４態様によれば、コンピュータ記憶媒体を提供し、上記第１態様又は第１態様のいずれかの可能な実施形態に記載の方法を実行するためのコンピュータソフトウェア命令を記憶することに用いられ、上記各態様を実行するために設計されるプログラムを含む。
【００１８】
第５態様によれば、命令を含むコンピュータプログラム製品を提供し、コンピュータによって実行されると、コンピュータは上記第１態様又は第１態様のいずれかの可能な実施形態に記載の方法を実行する。
【００１９】
本願のこれらの態様又は他の態様は以下の実施例についての説明から更に明らかで分かりやすくなる。
【図面の簡単な説明】
【００２０】
【図１】図１は本願の実施例の応用シーンの模式図を示す。
【図２】図２はデュアル接続のシーンでのデータ複製伝送方式のプロトコルアーキテクチャ図を示す。
【図３】図３は本願の実施例のデータ伝送方法の模式的なブロック図を示す。
【図４】図４は本願の実施例のデータ伝送用の端末装置の模式的なブロック図を示す。
【図５】図５は本願の実施例のデータ伝送用の端末装置の他の模式的なブロック図を示す。
【発明を実施するための形態】
【００２１】
以下、本願の実施例の図面を参照して、本願の実施例における技術案を明瞭で完全に説明する。
【００２２】
なお、本願の実施例の技術案は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）又は将来の５Ｇシステム等の各種の通信システムに適用されることができる。
【００２３】
特に、本願の実施例の技術案は、非直交多元接続技術に基づく各種の通信システム、例えばスパース符号多元接続（Ｓｐａｒｓｅ  Ｃｏｄｅ  Ｍｕｌｔｉｐｌｅ  Ａｃｃｅｓｓ、ＳＣＭＡ）システム、低密度シグネチャ（Ｌｏｗ  Ｄｅｎｓｉｔｙ  Ｓｉｇｎａｔｕｒｅ、ＬＤＳ）システム等に適用でき、勿論、ＳＣＭＡシステム及びＬＤＳシステムは通信分野において他の名称と呼んでもよい。更に、本願の実施例の技術案は非直交多元接続技術を採用したマルチキャリア伝送システム、例えば非直交多元接続技術を採用した直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルターバンクマルチキャリア（Ｆｉｌｔｅｒ  Ｂａｎｋ  Ｍｕｌｔｉ−Ｃａｒｒｉｅｒ、ＦＢＭＣ）、一般化周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルター処理された直交周波数分割多重（Ｆｉｌｔｅｒｅｄ−ＯＦＤＭ、Ｆ−ＯＦＤＭ）システム等に適用できる。
【００２４】
本願の実施例の端末装置は、ユーザー装置（Ｕｓｅｒ  Ｅｑｕｉｐｍｅｎｔ、ＵＥ）、アクセス端末、ユーザーユニット、ユーザー局、移動局、移動ステーション、遠隔局、遠隔端末、移動装置、ユーザー端末、端末、無線通信装置、ユーザーエージェント又はユーザーデバイスであってもよい。アクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、将来の５Ｇネットワークにおける端末装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末装置等であってもよいが、本願の実施例はそれに限定されない。
【００２５】
本願の実施例のネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  ＮｏｄｅＢ、ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンでの無線コントローラであってもよく、又は該ネットワーク装置は中継局、アクセスポイント、車載装置、ウェアラブル装置、及び将来の５Ｇネットワークにおけるネットワーク装置又は将来の発展型ＰＬＭＮネットワークにおけるネットワーク装置等であってもよいが、本願の実施例はそれに限定されない。
【００２６】
図１は本願の実施例の応用シーンの模式図である。図１における端末装置１３０の周りのネットワーク装置はプライマリネットワーク装置１１０及び少なくとも１つのセカンダリネットワーク装置１２０を含む。該少なくとも１つのセカンダリネットワーク装置１２０はそれぞれプライマリネットワーク装置１１０に接続され、多接続を構成し、且つそれぞれ端末装置１３０と接続され端末装置１３０にサービスを提供する。該プライマリネットワーク装置１１０はＬＴＥネットワークであり、該セカンダリネットワーク装置１２０はＮＲネットワークであり得る。又は、該プライマリネットワーク装置１１０はＮＲネットワークであり、該セカンダリネットワーク装置１２０はＬＴＥネットワークであり得る。又は、該プライマリネットワーク装置１１０及び該セカンダリネットワーク装置１２０の両方はＮＲネットワークであり得る。本願では、技術案の応用シーンを限定しない。端末装置１３０はプライマリネットワーク装置１１０及びセカンダリネットワーク装置１２０により同時に接続を確立することができる。端末装置１３０がプライマリネットワーク装置１１０と確立する接続はプライマリ接続であり、端末装置１３０がセカンダリネットワーク装置１２０と確立する接続はセカンダリ接続である。端末装置１３０の制御シグナリングはプライマリ接続によって伝送され、端末装置のデータはプライマリ接続及びセカンダリ接続によって同時に伝送され、又はセカンダリ接続のみによって伝送されるようにしてもよい。
【００２７】
本願の実施例では、プライマリネットワーク装置は、例えば、マクロセル（Ｍａｃｒｏｃｅｌｌ）であってもよく、セカンダリネットワーク装置は、例えば、マイクロセル（Ｍｉｃｒｏｃｅｌｌ）、ピコセル（Ｐｉｃｏｃｅｌｌ）、フェムトセル（Ｆｅｍｔｏｃｅｌｌ）であってもよいが、本発明の実施例はそれに限定されない。
【００２８】
より具体的に、該プライマリネットワーク装置はＬＴＥネットワーク装置であり、該セカンダリネットワーク装置はＮＲネットワーク装置であってもよいが、本発明の実施例はそれに限定されず、該プライマリネットワーク装置は更にＧＳＭネットワーク装置、ＣＤＭＡネットワーク装置等であってもよく、該セカンダリネットワーク装置は更にＧＳＭネットワーク装置、ＣＤＭＡネットワーク装置等であってもよく、本発明の実施例はそれに限定されない。
【００２９】
キャリアアグリゲーションのシーンでは、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）はデータ複製機能をサポートでき、即ち、ＰＤＣＰのデータ複製機能を利用して、複製されたデータを２つ又は複数のベアラに対応付け、最終的に複製された複数の同一ＰＤＣＰプロトコルデータユニット（Ｐｒｏｔｏｃｏｌ  Ｄａｔａ  Ｕｎｉｔ、ＰＤＵ）を異なる物理層アグリゲーションキャリアで伝送することができ、それにより周波数ダイバーシチゲインを達成してデータ伝送の信頼性を向上させる。
【００３０】
理解しやすくするために、以下、図２を参照してデュアル接続のシーンでのデータ複製伝送方式のプロトコルアーキテクチャを簡単に説明する。データ複製伝送方式はスプリットベアラ（ｓｐｌｉｔ  ｂｅａｒｅｒ）のプロトコルアーキテクチャを採用する。アップリンク・ダウンリンクにとって、ＰＤＣＰはあるセルグループ（Ｃｅｌｌ  Ｇｒｏｕｐ、ＣＧ）に位置し、該ＣＧはアンカーセルグループ（ａｎｃｈｏｒ  ＣＧ）であり、ＣＧはプライマリセルグループ及びセカンダリセルグループを含み、ＰＤＣＰはＰＤＣＰ  ＰＤＵを同様な２つのものに複製し、例えば、一方はＰＤＣＰ  ＰＤＵであり、他方は複製（Ｄｕｐｌｉｃａｔｅｄ）ＰＤＣＰ  ＰＤＵであり、２つのＰＤＣＰは異なるＣＧの無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）を経由し、更にエアインタフェースを経由して端末（ダウンリンク）又は基地局（アップリンク）の対応するＭＡＣ、ＲＬＣ層に到達し、最終的にＰＤＣＰにコンバージェンし、ＰＤＣＰ層は２つのＰＤＣＰが同じ複製バージョンであることを監視すると、そのうちの一方を破棄し、他方を上位層に伝送する。ＰＤＣＰの下にそれぞれ２つのＲＬＣ及びＭＡＣが接続されたこのベアラをｓｐｌｉｔ  ｂｅａｒｅｒと呼ぶ。
【００３１】
現在、ＮＲについての検討では、データ複製伝送機能を設定した無線ベアラに対して、ＭＡＣコントロールエレント（Ｃｏｎｔｒｏｌ  Ｅｌｅｍｅｎｔ、ＣＥ）によってあるベアラのデータ複製伝送機能を動的にアクティベーション（ａｃｔｉｖａｔｅ）又はディアクティベーション（ｄｅ−ａｃｔｉｖａｔｅ）することができる。デュアル接続のシーンでは、プライマリセルグループのネットワーク装置及びセカンダリセルグループのネットワーク装置はそれぞれＭＡＣ  ＣＥを送信して端末のあるｓｐｌｉｔ  ｂｅａｒｅｒのデータ複製機能をアクティベーション又はディアクティベーションすることができる。その結果、異なるプライマリセルグループのネットワーク装置とセカンダリセルグループのネットワーク装置は端末のあるｓｐｌｉｔ  ｂｅａｒｅｒのデータ複製機能に対して異なる状態を指示する可能性があり、例えば、プライマリセルグループのネットワーク装置は該ｓｐｌｉｔ  ｂｅａｒｅｒのデータ複製機能をアクティベーションすることを指示するが、セカンダリセルグループのネットワーク装置は該ｓｐｌｉｔ  ｂｅａｒｅｒのデータ複製機能をディアクティベーションすることを指示する。従って、端末装置がどのように複数のネットワーク装置によって同一のｓｐｌｉｔ  ｂｅａｒｅｒのデータ複製機能に対して行われた設定に合わせて該ｓｐｌｉｔ  ｂｅａｒｅｒのデータ複製機能を制御するかは、解決しなければならない問題である。
【００３２】
なお、本明細書では、用語「システム」と「ネットワーク」は常に交換して使用してもよい。本明細書では、用語「及び／又は」は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を含む。また、本明細書では、記号「／」は、一般には前後の関連対象が「又は」の関係を有することを示す。
【００３３】
図３は本願の実施例のデータ伝送方法２００の模式的なブロック図を示す。図３に示すように、該方法２００は下記Ｓ２１０〜Ｓ２３０の一部又は全部を含む。
【００３４】
Ｓ２１０、端末装置は少なくとも１つのネットワーク装置における各々のネットワーク装置の伝送制御情報を取得し、該各々のネットワーク装置の伝送制御情報は対応するネットワーク装置によって第１のデータ無線ベアラ（ＤＲＢ）に対して設定されるデータ複製伝送機能の状態を指示することに用いられ、該状態はアクティブ状態又は非アクティブ状態である。
【００３５】
Ｓ２２０、該端末装置は該各々のネットワーク装置の伝送制御情報に基づいて制御変数を更新し、該制御変数は該少なくとも１つのネットワーク装置を含む複数のネットワーク装置によって該第１のＤＲＢに対して設定されるデータ複製伝送機能の状態を保守することに用いられる。
【００３６】
Ｓ２３０、該端末装置は更新後の該制御変数に基づいて、該第１のＤＲＢのデータ複製伝送機能を制御する。
【００３７】
具体的に、端末装置はデータ複製伝送機能を設定したｓｐｌｉｔ  ｂｅａｒｅｒごとに１つの制御変数を保守することができ、例えば、該制御変数は、端末装置のあるｓｐｌｉｔ  ｂｅａｒｅｒをアクティベーション又はディアクティベーションできるすべてのネットワーク装置によって該ｓｐｌｉｔ  ｂｅａｒｅｒに対して設定されるデータ複製伝送機能の最新状態を保存することができる。端末装置は１つ又は複数のネットワーク装置から送信された、あるｓｐｌｉｔ  ｂｅａｒｅｒのデータ複製伝送機能の状態を指示するための情報を受信する度に、端末装置は該制御変数を更新し、端末装置は直接に更新後の制御変数及び予め定められたいくつかの規則に基づいて、該ｓｐｌｉｔ  ｂｅａｒｅｒのデータ複製伝送機能を制御することができる。例えば、ｓｐｌｉｔ  ｂｅａｒｅｒ  １をアクティベーション又はディアクティベーションできるすべてのネットワーク装置が２つであり、ネットワーク装置１及びネットワーク装置２を含むことを仮定し、更新後の制御変数は、一方のネットワーク装置によって設定されるものがアクティブ状態であり、他方のネットワーク装置によって設定されるものが非アクティブ状態である場合、端末装置は直接に該ｓｐｌｉｔ  ｂｅａｒｅｒ  １のデータ複製伝送機能をアクティベーションできる。
【００３８】
従って、本願の実施例のデータ伝送方法は、端末装置のあるベアラに対して保守する制御変数によって該ベアラのデータ複製伝送機能を制御し、これによりデータ伝送性能の向上に有利である。
【００３９】
データ複製伝送機能のアクティブ状態とは、あるデータ無線ベアラ（Ｄａｔａ  Ｒａｄｉｏ  Ｂｅａｒｅｒ、ＤＲＢ）に対応するＰＤＣＰエンティティが１つのＰＤＣＰ  ＰＤＵを２つに複製して、それぞれ２つのＲＬＣエンティティで伝送することができることである。データ複製伝送機能の非アクティブ状態とは、データ複製伝送機能を使用しないことであり、即ち、あるＤＲＢに対応するＰＤＣＰエンティティによって伝送されるＰＤＣＰ  ＰＤＵが複製データではなく、１つのＲＬＣエンティティで１回伝送できる。
【００４０】
本願の実施例では、端末装置はデータ複製伝送機能を設定したｓｐｌｉｔ  ｂｅａｒｅｒごとに１つの制御変数を保守することができ、すなわち、端末装置がデータ複製伝送機能を設定した４つのｓｐｌｉｔ  ｂｅａｒｅｒを有する場合、端末装置はこれら４つのｓｐｌｉｔ  ｂｅａｒｅｒにそれぞれ１つの制御変数、即ち計４つの制御変数を保守することができる。本願の実施例は１つのｓｐｌｉｔ  ｂｅａｒｅｒの点から技術案を説明するが、本願の実施例はそれに限定されない。
【００４１】
当業者であれば、本願の実施例に係るデュアル接続は多接続であってもよく、明細書の複数箇所ではデュアル接続を例に説明するが、本願の実施例はそれを限定しないと理解できる。
【００４２】
選択肢として、端末装置はある時刻にプライマリネットワーク装置及びセカンダリネットワーク装置からそれぞれ送信された指示情報を同時に受信する可能性があり、該指示情報は１つのビットを例とし、ある時刻に端末装置はプライマリネットワーク装置から送信された１、セカンダリネットワーク装置から送信された０を受信し、ここで、１はあるｓｐｌｉｔ  ｂｅａｒｅｒに対して設定されるデータ複製伝送機能がアクティブ状態であることを示すが、０は対応するｓｐｌｉｔ  ｂｅａｒｅｒに対して設定されるデータ複製伝送機能が非アクティブ状態であることを示し、この場合、端末装置は直接に制御変数を１０に更新し、端末装置は直接に１０に基づいて、対応するベアラのデータ複製伝送機能を制御することができる。
【００４３】
選択肢として、端末装置は異なる時刻にプライマリネットワーク装置及びセカンダリネットワーク装置からそれぞれ送信された指示情報を受信してもよく、端末装置は一方のネットワーク装置から送信された指示情報を受信した後、まず、対応するｓｐｌｉｔ  ｂｅａｒｅｒのデータ複製伝送機能を変更せず、端末装置が他方のネットワーク装置から送信された指示情報を受信すると、制御変数を同時に更新し、更新された制御変数に基づいて、対応するｓｐｌｉｔ  ｂｅａｒｅｒのデータ複製伝送機能を制御してもよい。
【００４４】
選択肢として、端末装置は一方のネットワーク装置から送信された指示情報を受信すると制御変数を更新し、更新後の制御変数に基づいて、対応するｓｐｌｉｔ  ｂｅａｒｅｒのデータ複製伝送機能を直接に制御するようにしてもよく、ここで、該制御変数は初期値を有してもよく、例えば、該制御変数の初期値を００としてもよい。
【００４５】
選択肢として、本願の実施例では、該端末装置が更新後の該制御変数に基づいて、該第１のＤＲＢのデータ複製伝送機能を制御することは、
該端末装置は更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置に一対一対応することと、
該端末装置は該目標状態に基づいて、該第１のＤＲＢのデータ複製伝送機能を制御することと、を含む。
【００４６】
具体的に、端末装置はデータ複製伝送機能を設定したｓｐｌｉｔ  ｂｅａｒｅｒごとに１種のマッピング関係表を予め保存してもよく、該マッピング関係表は、対応するｓｐｌｉｔ  ｂｅａｒｅｒをアクティベーション又はディアクティベーションできるすべてのネットワーク装置が対応のｓｐｌｉｔ  ｂｅａｒｅｒのデータ複製伝送機能を設定する可能な各種の状態組合せ、及び各種の状態組合せにおいて対応のｓｐｌｉｔ  ｂｅａｒｅｒのデータ複製伝送機能をどのような目標状態に設定すべきかを含んでもよい。端末装置によって更新された制御変数は状態組合せの１つであり、端末装置は更新後の制御変数に基づいて、対応するマッピング関係表を検索すれば、対応する目標状態を見つけることができ、更に目標状態に基づいて、対応するｓｐｌｉｔ  ｂｅａｒｅｒのデータ複製伝送機能を直接に制御できる。１つのビットが、１つのネットワーク装置が１つのｓｐｌｉｔ  ｂｅａｒｅｒのデータ複製伝送機能に対する状態を代表することを例に、あるｓｐｌｉｔ  ｂｅａｒｅｒに対するマッピング関係表は表１に示されてもよい。
【００４７】
【表１】
2020536405.tif 000003
【００４８】
すなわち、更新後の制御変数が００であると、対応するｓｐｌｉｔ  ｂｅａｒｅｒのデータ複製伝送機能を非アクティブ状態に制御でき、更新後の制御変数が０１、１０又は１１であると、対応するｓｐｌｉｔ  ｂｅａｒｅｒのデータ複製伝送機能をアクティブ状態に制御できる。制御変数の初期値は００であり得る。
【００４９】
理解すべきなのは、上記表は単に一例であり、他の形式であってもよく、例えば、０１及び１０に対応する目標状態を非アクティブ状態に変更してもよい。且つ、該マッピング関係表はネットワーク装置によって設定されてもよく、例えば、ネットワーク装置は無線リソース制御（Ｒａｄｉｏ  Ｒｅｓｏｕｒｃｅ  Ｃｏｎｔｒｏｌ、ＲＲＣ）によって端末装置に対して該マッピング関係表を設定してもよい。すなわち、ネットワーク装置はＲＲＣによって各組合せに対応する目標状態を変更してもよい。
【００５０】
更に理解すべきなのは、上記表はすべての状態組合せを含むが、上記表は一部の状態組合せを含んでもよく、例えば、プライマリネットワーク装置とセカンダリネットワーク装置は一方のネットワーク装置によってあるｓｐｌｉｔ  ｂｅａｒｅｒのデータ複製伝送機能を直接に制御することを協議し、例えば、プライマリネットワーク装置及びセカンダリネットワーク装置はプライマリネットワーク装置によってＤＲＢ  １のデータ複製伝送機能を制御することを協議しておく場合、プライマリネットワーク装置から端末装置に送信された該ＤＲＢ  １のデータ複製伝送機能に対する状態指示はオン又はオフ、即ち０又は１である一方、セカンダリネットワーク装置から端末装置に送信された該ＤＲＢ  １のデータ複製伝送機能に対する状態指示はオフ、例えば０であるしかない。この場合、ネットワーク装置によってＤＲＢ  １に対して設定される上記マッピング関係表は表２に示されるしかない。
【００５１】
【表２】
2020536405.tif 000004
【００５２】
また、ＤＲＢ  １に対して、プライマリネットワーク装置とセカンダリネットワーク装置は有効なネットワーク装置を協議しておくため、更新後の制御変数は００、０１又は００、１０であるしかない。
【００５３】
選択肢として、本願の実施例では、該少なくとも１つのネットワーク装置のうちの第１のネットワーク装置の伝送制御情報は、該第１のネットワーク装置によって該第１のＤＲＢに対して設定されるデータ複製伝送機能の状態をビットマップにおける第１のビットで指示し、該端末装置が少なくとも１つのネットワーク装置における各々のネットワーク装置の伝送制御情報を取得することは、
該端末装置は該第１のネットワーク装置から送信された該ビットマップを受信することと、
該端末装置は該ビットマップにおける該第１のＤＲＢに対応する該第１のビットの値を該第１のネットワーク装置の伝送制御情報として確定することと、を含む。
【００５４】
現在、ＮＲについての検討では、データ複製伝送機能を有するＤＲＢを１つのビットマップ（ｂｉｔｍａｐ）で端末装置に指示し、且つ該ｂｉｔｍａｐが１バイト（ｂｙｔｅ）であることを認めた。異なるｂｉｔｍａｐにおける位置は端末の異なるｂｅａｒｅｒ識別子（ｉｄｅｎｔｉｆｙ、ＩＤ）にそれぞれ対応し、これらのｂｅａｒｅｒ  ＩＤでマークされるｂｅａｒｅｒはデータ複製伝送機能を設定したｂｅａｒｅｒである。例えば、端末のｂｅａｒｅｒ  ＩＤが０、２、３、７、８、１０であるのはデータ複製伝送機能を有するｂｅａｒｅｒであり、１種の対応関係は、ｂｉｔｍａｐ端末の第１のビットがｂｅａｒｅｒ  ＩＤ  ０に、第２のビットがｂｅａｒｅｒ  ＩＤ  ２に、第３のビットがｂｅａｒｅｒ  ＩＤ  ３に、第４のビットがｂｅａｒｅｒ  ＩＤ  ７に、第５のビットがｂｅａｒｅｒ  ＩＤ  ８に、第６のビットがｂｅａｒｅｒ  ＩＤ  １０に対応し、第７のビット及び第８のビットが無効ビットである。このような対応関係は昇順対応関係であってもよく、降順対応関係であってもよい。
【００５５】
端末装置のＭＡＣはあるネットワーク装置から送信されたｂｉｔｍａｐを受信した後、ｂｉｔｍａｐにおける対応のｂｉｔを対応のＤＲＢのＰＤＣＰに指示してもよい。具体的に、端末装置はｂｉｔｍａｐとＤＲＢ  ＩＤとの対応関係に基づいて、ｂｉｔｍａｐにおけるＤＲＢ  ＩＤに対応するｂｉｔを見つけることができ、例えば、ネットワーク装置はデータ複製伝送機能を有するＤＲＢ  ＩＤの１、３、４、７を、それぞれｂｉｔｍａｐにおけるビット１、２、３、４に対応付ける。この場合、端末装置のＭＡＣはｂｉｔｍａｐを受信した後、第１のビットの値をＤＲＢ  ＩＤが１のＰＤＣＰに指示し、第２のビットの値をＤＲＢ  ＩＤが３のＰＤＣＰに指示してもよく、これによって類推する。
【００５６】
選択肢として、本願の実施例では、前記端末装置が前記目標状態に基づいて、前記第１のＤＲＢのデータ複製伝送機能を制御することは、
前記目標状態がアクティブ状態である場合、前記端末装置は前記第１のＤＲＢで複製データを伝送するように制御することと、
前記目標状態が非アクティブ状態である場合、前記端末装置は前記第１のＤＲＢで非複製データを伝送するように制御することと、を含む。
【００５７】
具体的に、端末装置は上記表１に基づいて、あるＤＲＢに対する目標状態がアクティブ状態であることを確定すると、端末装置は該ＤＲＢの機能を使用して複製データを送受信する必要がある。端末装置は上記表１に基づいて、あるＤＲＢに対する目標状態が非アクティブ状態であることを確定すると、端末装置は該ＤＲＢを使用して非複製データを送受信する必要がある。
【００５８】
選択肢として、本願の実施例では、前記伝送制御情報はメディアアクセス制御（ＭＡＣ）シグナリングにベアリングされる。
【００５９】
上記のとおり、ＭＡＣ層シグナリングによって端末装置にｂｉｔｍａｐを送信し、且つｂｉｔｍａｐのあるビットはあるベアラのデータ複製伝送機能の状態を指示するようにしてもよい。
【００６０】
理解すべきなのは、本願の実施例の各種の指示情報又は設定情報、例えばダウンリンク制御情報（Ｄｏｗｎｌｏａｄ  Ｃｏｎｔｒｏｌ  Ｉｎｆｏｒｍａｔｉｏｎ、ＤＣＩ）等は、上記ＭＡＣ層シグナリング及びＲＲＣシグナリングを除く他のシグナリングによっててもよい。
【００６１】
更に理解すべきなのは、上記複数のネットワーク装置は１つのプライマリセルグループのネットワーク装置及び１つのセカンダリセルグループのネットワーク装置を例に説明されたが、本願の実施例はそれに限定されるものではなく、例えば、該複数のネットワーク装置は１つのプライマリセルグループのネットワーク装置及び複数のセカンダリセルグループのネットワーク装置であってもよい。
【００６２】
更に理解すべきなのは、上記ｂｉｔｍａｐにおける１つのビットは１つのベアラのデータ複製伝送機能の状態を示すが、本願の実施例はそれに限定されるものではなく、例えば、１つのベアラのデータ複製伝送機能の状態を２つのビットで示してもよい。
【００６３】
理解すべきなのは、ネットワーク装置側から説明されるネットワーク装置と端末装置とのインタラクション及び関連特性、機能等は端末装置の関連特性、機能に対応する。且つ関連内容は上記方法２００で詳細に説明されたため、簡潔さのために、ここでは繰り返して説明しない。
【００６４】
更に理解すべきなのは、本願の各種の実施例では、上記各プロセスの番号は実行順序を示すものではなく、各プロセスの実行順序はその機能及び内部ロジックに応じて確定され、本願の実施例の実施過程を限定するものではない。
【００６５】
以上、本願の実施例によるデータ伝送方法を詳細に説明したが、以下、図４及び図５を参照して、本願の実施例によるデータ伝送装置を説明し、方法の実施例で説明される技術的特徴は以下の装置の実施例に適用される。
【００６６】
図４は本願の実施例による端末装置３００の模式的なブロック図を示す。図４に示すように、該端末装置３００は、
少なくとも１つのネットワーク装置における各々のネットワーク装置の伝送制御情報を取得することに用いられ、該各々のネットワーク装置の伝送制御情報は対応するネットワーク装置によって第１のデータ無線ベアラ（ＤＲＢ）に対して設定されるデータ複製伝送機能の状態を指示することに用いられ、該状態はアクティブ状態又は非アクティブ状態である取得ユニット３１０と、
該各々のネットワーク装置の伝送制御情報に基づいて制御変数を更新することに用いられ、該制御変数は該少なくとも１つのネットワーク装置を含む複数のネットワーク装置によって該第１のＤＲＢに対して設定されるデータ複製伝送機能の状態を保守することに用いられる更新ユニット３２０と、
更新後の該制御変数に基づいて、該第１のＤＲＢのデータ複製伝送機能を制御することに用いられる制御ユニット３３０と、を備える。
【００６７】
従って、本願の実施例による端末装置は、端末装置のあるベアラに対して保守する制御変数によって該ベアラのデータ複製伝送機能を制御し、これによりデータ伝送性能の向上に有利である。
【００６８】
選択肢として、本願の実施例では、該制御ユニットは具体的に、
更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置に一対一対応することと、
該目標状態に基づいて、該第１のＤＲＢのデータ複製伝送機能を制御することと、に用いられる。
【００６９】
選択肢として、本願の実施例では、該端末装置は、該複数のネットワーク装置のうちの第１のネットワーク装置から送信された該第１のマッピング関係表を受信することに用いられる受信ユニットを更に備える。
【００７０】
選択肢として、本願の実施例では、該第１のマッピング関係表は無線リソース制御（ＲＲＣ）シグナリングにベアリングされる。
【００７１】
選択肢として、本願の実施例では、該少なくとも１つのネットワーク装置のうちの第１のネットワーク装置の伝送制御情報は、該第１のネットワーク装置によって該第１のＤＲＢに対して設定されるデータ複製伝送機能の状態をビットマップにおける第１のビットで指示し、該取得ユニットは具体的に、
該第１のネットワーク装置から送信された該ビットマップを受信することと、
該ビットマップにおける該第１のＤＲＢに対応する該第１のビットの値を該第１のネットワーク装置の伝送制御情報として確定することと、に用いられる。
【００７２】
選択肢として、本願の実施例では、該制御ユニットは具体的に、
該目標状態がアクティブ状態である場合、該第１のＤＲＢで複製データを伝送するように制御することと、
該目標状態が非アクティブ状態である場合、該第１のＤＲＢで非複製データを伝送するように制御することと、に用いられる。
【００７３】
選択肢として、本願の実施例では、該伝送制御情報はメディアアクセス制御（ＭＡＣ）シグナリングにベアリングされる。
【００７４】
理解すべきなのは、本願の実施例による端末装置３００は本願の方法の実施例における端末装置に対応でき、且つ端末装置３００における各ユニットの上記及び他の操作及び／又は機能はそれぞれ図３の方法における端末装置の対応するプロセスを実現し、簡潔さのために、ここで繰り返して説明しない。
【００７５】
図５に示すように、本願の実施例は更に端末装置４００を提供し、該端末装置４００は図４における端末装置３００であってもよく、図３における方法１００に対応する端末装置の内容を実行することに用いられることができる。該端末装置４００は入力インタフェース４１０、出力インタフェース４２０、プロセッサ４３０及びメモリ４４０を備え、該入力インタフェース４１０、出力インタフェース４２０、プロセッサ４３０及びメモリ４４０はバスシステムによって接続されてもよい。該メモリ４４０はプログラム、命令又はコードを記憶することに用いられる。該プロセッサ４３０は、該メモリ４４０におけるプログラム、命令又はコードを実行して、入力インタフェース４１０による信号受信、出力インタフェース４２０による信号送信及び上記方法の実施例における操作の実行を制御することに用いられる。
【００７６】
従って、本願の実施例による端末装置は、端末装置のあるベアラに対して保守する制御変数によって該ベアラのデータ複製伝送機能を制御し、これによりデータ伝送性能の向上に有利である。
【００７７】
なお、本願の実施例では、該プロセッサ４３０は中央処理装置（Ｃｅｎｔｒａｌ  Ｐｒｏｃｅｓｓｉｎｇ  Ｕｎｉｔ、ＣＰＵ）であってもよく、他の汎用プロセッサ、デジタル信号プロセッサ、特定用途向け集積回路、フィールドプログラマブルゲートアレイ又は他のプログラマブルロジックデバイス、ディスクリートゲート又はトランジスタロジック装置、ディスクリートハードウェアユニット等であってもよい。汎用プロセッサはマイクロプロセッサであってもよく、又は該プロセッサは任意の通常のプロセッサ等であってもよい。
【００７８】
該メモリ４４０は読み出し専用メモリ及びランダムアクセスメモリを含み、プロセッサ４３０に命令及びデータを提供することができる。メモリ４４０の一部は、不揮発性ランダムアクセスメモリを更に含んでもよい。例えば、メモリ４４０は更にデバイスタイプの情報を記憶してもよい。
【００７９】
実現中、上記方法の各内容はプロセッサ４３０におけるハードウェアの集積論理回路又はソフトウェア形態の命令によって完成できる。本願の実施例を参照して開示されている方法の内容は直接にハードウェアプロセッサによって実行し完成され、又はプロセッサにおけるハードウェア及びソフトウェアモジュールの組合せによって実行し完成される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリ４４０に位置し、プロセッサ４３０はメモリ４４０における情報を読み取り、そのハードウェアと組み合わせて上記方法の内容を完成する。重複を回避するために、ここで詳細説明を省略する。
【００８０】
具体的な実施形態では、端末装置３００における取得ユニット、更新ユニット及び制御ユニットは図５におけるプロセッサ４２０によって実現され、端末装置３００の受信ユニットは図５における入力インタフェース４１０によって実現されてもよい。
【００８１】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【００８２】
当業者であれば、説明の便宜及び簡潔上、上記説明したシステム、装置及びユニットの具体的な動作プロセスは、上記方法の実施例の対応するプロセスを参照すればよいと理解できるため、ここで繰り返して説明しない。
【００８３】
本願によるいくつかの実施例では、開示されているシステム、装置及び方法を他の形態で実現できると理解すべきである。例えば、以上説明された装置の実施例は単に例示的なものであり、例えば、該ユニットの分割は、単に１種のロジック機能分割であり、実際の実装では他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又は他の形態としてもよい。
【００８４】
該分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又はすべてのユニットを選択して本実施例の技術案の目的を実現することができる。
【００８５】
また、本願の実施例の各々における各機能ユニットは１つの処理ユニットに集積されてもよく、別々に物理的に存在してもよく、２つ又は２つ以上のユニットは１つのユニットに集積されてもよい。
【００８６】
該機能はソフトウェア機能ユニットの形態で実現され独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等）に本願の各実施例の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【００８７】
以上は、本願の具体的な実施形態に過ぎず、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2020536405.tif 000005
【図２】
2020536405.tif 000006
【図３】
2020536405.tif 000007
【図４】
2020536405.tif 000008
【図５】
2020536405.tif 000009
【手続補正書】
【提出日】令和2年8月12日(2020.8.12)
【手続補正１】
【補正対象書類名】明細書
【補正対象項目名】０００７
【補正方法】変更
【補正の内容】
【０００７】
可能な実施形態では、該端末装置が更新後の該制御変数に基づいて、該第１のＤＲＢのデータ複製伝送機能を制御することは、
該端末装置は更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置における各ネットワーク装置に一対一対応することと、
該端末装置は該目標状態に基づいて、該第１のＤＲＢのデータ複製伝送機能を制御することと、を含む。
【手続補正２】
【補正対象書類名】明細書
【補正対象項目名】００３０
【補正方法】変更
【補正の内容】
【００３０】
理解しやすくするために、以下、図２を参照してデュアル接続のシーンでのデータ複製伝送方式のプロトコルアーキテクチャを簡単に説明する。データ複製伝送方式はスプリットベアラ（ｓｐｌｉｔ  ｂｅａｒｅｒ）のプロトコルアーキテクチャを採用する。アップリンク・ダウンリンクにとって、ＰＤＣＰはあるセルグループ（Ｃｅｌｌ  Ｇｒｏｕｐ、ＣＧ）に位置し、該ＣＧはアンカーセルグループ（ａｎｃｈｏｒ  ＣＧ）であり、ＣＧはプライマリセルグループ及びセカンダリセルグループを含み、ＰＤＣＰはＰＤＣＰ  ＰＤＵを同様な２つのものに複製し、例えば、一方はＰＤＣＰ  ＰＤＵであり、他方は複製（Ｄｕｐｌｉｃａｔｅｄ）ＰＤＣＰ  ＰＤＵであり、２つのＰＤＣＰ  ＰＤＵは異なるＣＧの無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）を経由し、更にエアインタフェースを経由して端末（ダウンリンク）又は基地局（アップリンク）の対応するＭＡＣ、ＲＬＣ層に到達し、最終的にＰＤＣＰにコンバージェンし、ＰＤＣＰ層は２つのＰＤＣＰ  ＰＤＵが同じ複製バージョンであることを監視すると、そのうちの一方を破棄し、他方を上位層に伝送する。ＰＤＣＰの下にそれぞれ２つのＲＬＣ及びＭＡＣが接続されたこのベアラをｓｐｌｉｔ  ｂｅａｒｅｒと呼ぶ。
【手続補正３】
【補正対象書類名】明細書
【補正対象項目名】００３３
【補正方法】変更
【補正の内容】
【００３３】
図３は本願の実施例のデータ伝送方法２００の模式的なブロック図を示す。図３に示すように、該方法２００は下記２１０〜２３０の一部又は全部を含む。
【手続補正４】
【補正対象書類名】明細書
【補正対象項目名】００３４
【補正方法】変更
【補正の内容】
【００３４】
２１０、端末装置は少なくとも１つのネットワーク装置における各々のネットワーク装置の伝送制御情報を取得し、該各々のネットワーク装置の伝送制御情報は対応するネットワーク装置によって第１のデータ無線ベアラ（ＤＲＢ）に対して設定されるデータ複製伝送機能の状態を指示することに用いられ、該状態はアクティブ状態又は非アクティブ状態である。
【手続補正５】
【補正対象書類名】明細書
【補正対象項目名】００３５
【補正方法】変更
【補正の内容】
【００３５】
２２０、該端末装置は該各々のネットワーク装置の伝送制御情報に基づいて制御変数を更新し、該制御変数は該少なくとも１つのネットワーク装置を含む複数のネットワーク装置によって該第１のＤＲＢに対して設定されるデータ複製伝送機能の状態を保守することに用いられる。
【手続補正６】
【補正対象書類名】明細書
【補正対象項目名】００３６
【補正方法】変更
【補正の内容】
【００３６】
２３０、該端末装置は更新後の該制御変数に基づいて、該第１のＤＲＢのデータ複製伝送機能を制御する。
【手続補正７】
【補正対象書類名】明細書
【補正対象項目名】００４５
【補正方法】変更
【補正の内容】
【００４５】
選択肢として、本願の実施例では、該端末装置が更新後の該制御変数に基づいて、該第１のＤＲＢのデータ複製伝送機能を制御することは、
該端末装置は更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置における各ネットワーク装置に一対一対応することと、
該端末装置は該目標状態に基づいて、該第１のＤＲＢのデータ複製伝送機能を制御することと、を含む。
【手続補正８】
【補正対象書類名】明細書
【補正対象項目名】００５７
【補正方法】変更
【補正の内容】
【００５７】
具体的に、端末装置は上記表１に基づいて、あるＤＲＢに対する目標状態がアクティブ状態であることを確定すると、端末装置は該ＤＲＢを使用して複製データを送受信する必要がある。端末装置は上記表１に基づいて、あるＤＲＢに対する目標状態が非アクティブ状態であることを確定すると、端末装置は該ＤＲＢを使用して非複製データを送受信する必要がある。
【手続補正９】
【補正対象書類名】明細書
【補正対象項目名】００６０
【補正方法】変更
【補正の内容】
【００６０】
理解すべきなのは、本願の実施例の各種の指示情報又は設定情報、例えばダウンリンク制御情報（Ｄｏｗｎｌｏａｄ  Ｃｏｎｔｒｏｌ  Ｉｎｆｏｒｍａｔｉｏｎ、ＤＣＩ）等は、上記ＭＡＣ層シグナリング及びＲＲＣシグナリングを除く他のシグナリングによって送信してもよい。
【手続補正１０】
【補正対象書類名】明細書
【補正対象項目名】００６８
【補正方法】変更
【補正の内容】
【００６８】
選択肢として、本願の実施例では、該制御ユニットは具体的に、
更新後の該制御変数及び第１のマッピング関係表に基づいて、該第１のＤＲＢのデータ複製伝送機能の目標状態を確定し、該第１のマッピング関係表は複数の状態組合せと複数の目標状態とのマッピング関係を含み、該状態組合せにおける各状態は該複数のネットワーク装置における各ネットワーク装置に一対一対応することと、
該目標状態に基づいて、該第１のＤＲＢのデータ複製伝送機能を制御することと、に用いられる。
【手続補正１１】
【補正対象書類名】明細書
【補正対象項目名】００８０
【補正方法】変更
【補正の内容】
【００８０】
具体的な実施形態では、端末装置３００における取得ユニット、更新ユニット及び制御ユニットは図５におけるプロセッサ４３０によって実現され、端末装置３００の受信ユニットは図５における入力インタフェース４１０によって実現されてもよい。
【手続補正１２】
【補正対象書類名】特許請求の範囲
【補正対象項目名】全文
【補正方法】変更
【補正の内容】
【特許請求の範囲】
【請求項１】
端末装置は、少なくとも１つのネットワーク装置における各々のネットワーク装置の伝送制御情報を取得し、前記各々のネットワーク装置の伝送制御情報は、対応するネットワーク装置によって第１のデータ無線ベアラ（ＤＲＢ）に対して設定されるデータ複製伝送機能の状態を指示することに用いられ、前記状態はアクティブ状態又は非アクティブ状態であることと、
前記端末装置は前記各々のネットワーク装置の伝送制御情報に基づいて制御変数を更新し、前記制御変数は、前記少なくとも１つのネットワーク装置を含む複数のネットワーク装置によって前記第１のＤＲＢに対して設定されるデータ複製伝送機能の状態を保守することに用いられることと、
前記端末装置は更新後の前記制御変数に基づいて、前記第１のＤＲＢのデータ複製伝送機能を制御することと、を含むことを特徴とするデータ伝送方法。
【請求項２】
前記端末装置が更新後の前記制御変数に基づいて、前記第１のＤＲＢのデータ複製伝送機能を制御することは、
前記端末装置は更新後の前記制御変数及び第１のマッピング関係表に基づいて、前記第１のＤＲＢのデータ複製伝送機能の目標状態を確定し、前記第１のマッピング関係表は複数の状態組合せと複数の目標状態とのマッピング関係を含み、前記状態組合せにおける各状態は前記複数のネットワーク装置における各ネットワーク装置に一対一対応することと、
前記端末装置は前記目標状態に基づいて、前記第１のＤＲＢのデータ複製伝送機能を制御することと、を含むことを特徴とする請求項１に記載の方法。
【請求項３】
前記端末装置は前記複数のネットワーク装置のうちの第１のネットワーク装置から送信された前記第１のマッピング関係表を受信することを更に含むことを特徴とする請求項２に記載の方法。
【請求項４】
前記第１のマッピング関係表は無線リソース制御（ＲＲＣ）シグナリングにベアリングされることを特徴とする請求項３に記載の方法。
【請求項５】
前記少なくとも１つのネットワーク装置のうちの第１のネットワーク装置の伝送制御情報は、前記第１のネットワーク装置によって前記第１のＤＲＢに対して設定されるデータ複製伝送機能の状態をビットマップにおける第１のビットで指示し、
前記端末装置が少なくとも１つのネットワーク装置における各々のネットワーク装置の伝送制御情報を取得することは、
前記端末装置は前記第１のネットワーク装置から送信された前記ビットマップを受信することと、
前記端末装置は前記ビットマップにおける前記第１のＤＲＢに対応する前記第１のビットの値を前記第１のネットワーク装置の伝送制御情報として確定することと、を含むことを特徴とする請求項１〜４のいずれか一項に記載の方法。
【請求項６】
前記端末装置が前記目標状態に基づいて、前記第１のＤＲＢのデータ複製伝送機能を制御することは、
前記目標状態がアクティブ状態である場合、前記端末装置は前記第１のＤＲＢで複製データを伝送するように制御することと、
前記目標状態が非アクティブ状態である場合、前記端末装置は前記第１のＤＲＢで非複製データを伝送するように制御することと、を含むことを特徴とする請求項２〜４のいずれか一項に記載の方法。
【請求項７】
前記伝送制御情報はメディアアクセス制御（ＭＡＣ）シグナリングにベアリングされることを特徴とする請求項１〜６のいずれか一項に記載の方法。
【請求項８】
前記複数のネットワーク装置は、プライマリセルグループ内のネットワーク装置及びセカンダリセルグループ内のネットワーク装置を含むことを特徴とする請求項１〜７のいずれか一項に記載の方法。
【請求項９】
端末装置であって、
少なくとも１つのネットワーク装置における各々のネットワーク装置の伝送制御情報を取得することに用いられ、前記各々のネットワーク装置の伝送制御情報は対応するネットワーク装置によって第１のデータ無線ベアラ（ＤＲＢ）に対して設定されるデータ複製伝送機能の状態を指示することに用いられ、前記状態はアクティブ状態又は非アクティブ状態である取得ユニットと、
前記各々のネットワーク装置の伝送制御情報に基づいて制御変数を更新することに用いられ、前記制御変数は前記少なくとも１つのネットワーク装置を含む複数のネットワーク装置によって前記第１のＤＲＢに対して設定されるデータ複製伝送機能の状態を保守することに用いられる更新ユニットと、
更新後の前記制御変数に基づいて、前記第１のＤＲＢのデータ複製伝送機能を制御することに用いられる制御ユニットと、を備えることを特徴とする端末装置。
【請求項１０】
前記制御ユニットは具体的に、
更新後の前記制御変数及び第１のマッピング関係表に基づいて、前記第１のＤＲＢのデータ複製伝送機能の目標状態を確定し、前記第１のマッピング関係表は複数の状態組合せと複数の目標状態とのマッピング関係を含み、前記状態組合せにおける各状態は前記複数のネットワーク装置における各ネットワーク装置に一対一対応することと、
前記目標状態に基づいて、前記第１のＤＲＢのデータ複製伝送機能を制御することと、に用いられることを特徴とする請求項９に記載の端末装置。
【請求項１１】
前記複数のネットワーク装置のうちの第１のネットワーク装置から送信された前記第１のマッピング関係表を受信することに用いられる受信ユニットを更に備えることを特徴とする請求項１０に記載の端末装置。
【請求項１２】
前記第１のマッピング関係表は無線リソース制御（ＲＲＣ）シグナリングにベアリングされることを特徴とする請求項１１に記載の端末装置。
【請求項１３】
前記少なくとも１つのネットワーク装置のうちの第１のネットワーク装置の伝送制御情報は前記第１のネットワーク装置によって前記第１のＤＲＢに対して設定されるデータ複製伝送機能の状態をビットマップにおける第１のビットで指示し、前記取得ユニットは具体的に、
前記第１のネットワーク装置から送信された前記ビットマップを受信することと、
前記ビットマップにおける前記第１のＤＲＢに対応する前記第１のビットの値を前記第１のネットワーク装置の伝送制御情報として確定することと、に用いられることを特徴とする請求項９〜１２のいずれか一項に記載の端末装置。
【請求項１４】
前記制御ユニットは具体的に、
前記目標状態がアクティブ状態である場合、前記第１のＤＲＢで複製データを伝送するように制御することと、
前記目標状態が非アクティブ状態である場合、前記第１のＤＲＢで非複製データを伝送するように制御することと、に用いられることを特徴とする請求項１０〜１２のいずれか一項に記載の端末装置。
【請求項１５】
前記伝送制御情報はメディアアクセス制御（ＭＡＣ）シグナリングにベアリングされることを特徴とする請求項９〜１４のいずれか一項に記載の端末装置。
【国際調査報告】
2020536405.tif 000010
2020536405.tif 000011
2020536405.tif 000012
2020536405.tif 000013